(57)【特許請求の範囲】
【請求項１】
便鉢部と、
前記便鉢部に向かって泡を導くための泡経路と、
前記泡経路に設けられた、泡を発生させるための泡発生装置と、
を備え、
前記泡発生装置は、第１の泡質の泡を発生する第１の動作モードと、前記第１の泡質とは異なる第２の泡質の泡を発生する第２の動作モードとを有し、
前記第１の泡質は、洗剤濃度が前記第２の泡質よりも高く、
前記第１の動作モードは、操作スイッチの手動操作により起動し、
前記第２の動作モードは、便座が上げられることにより起動することを特徴とする水洗式便器。
【請求項２】
前記泡発生装置は、
エゼクタと、
前記エゼクタ内に水を供給する給水装置と、
前記エゼクタ内に洗剤を供給する洗剤供給装置と、
を備え、
前記洗剤供給装置は、前記第１の動作モードで動作する場合、所定の第１の供給速度で前記エゼクタ内に洗剤を供給し、前記第２の動作モードで動作する場合、前記第１の供給速度よりも遅い所定の第２の供給速度で前記エゼクタ内に洗剤を供給することを特徴とする請求項１に記載の水洗式便器。
【請求項３】
便鉢部と、
前記便鉢部に向かって泡を導くための泡経路と、
前記泡経路に設けられた、泡を発生させるための泡発生装置と、
を備え、
前記泡発生装置は、第１の泡量の泡を発生する第１の動作モードと、前記第１の泡量とは異なる第２の泡量の泡を発生する第２の動作モードとを有し、
前記第１の泡量は、前記第２の泡量よりも多く、
前記第１の動作モードは、操作スイッチの手動操作により起動し、
前記第２の動作モードは、便座が上げられることにより起動することを特徴とする水洗式便器。
【請求項４】
前記泡発生装置は、
エゼクタと、
前記エゼクタ内に水を供給する給水装置と、
前記エゼクタ内に洗剤を供給する洗剤供給装置と、
を備え、
前記給水装置および前記洗剤供給装置は、前記第１の動作モードで動作する場合、所定の第１時間前記エゼクタ内に水および洗剤を供給し、前記第２の動作モードで動作する場合、前記第１時間よりも短い所定の第２時間前記エゼクタ内に水および洗剤を供給することを特徴とする請求項３に記載の水洗式便器。
【発明の詳細な説明】
【技術分野】
【０００１】
本発明は、水洗式便器に関し、特に泡を便鉢部内に供給可能な水洗式便器に関する。
【背景技術】
【０００２】
従来より、泡が混合された洗浄水を便鉢部に供給するよう構成された水洗式便器が知られている。便鉢部の水面に泡をはることにより、例えば男性の立小便の際の液体の飛散を抑制できたり、便鉢部を洗浄したりすることができる。
【０００３】
泡が混合された洗浄水を便鉢部に供給する方法としては、洗浄水の流れる洗浄水流路にエゼクタと呼ばれる一部の経路径を絞った装置が設ける方法が提案されている（例えば、特許文献１）。このエゼクタには外部から空気と洗剤が供給される。便鉢部内を洗浄するための洗浄水がエゼクタに流れ込むと、エゼクタ内が負圧となるエゼクタ効果が発生する。このエゼクタ効果によって空気がエゼクタ内に引き込まれ、洗浄水と空気と洗剤が混合されて泡が発生し、泡混入洗浄水として便鉢部に流れ込む。
【先行技術文献】
【特許文献】
【０００４】
【特許文献１】特開２００８−１３８４２２号公報
【発明の概要】
【発明が解決しようとする課題】
【０００５】
しかしながら、上記のような従来の泡供給方法では、一つの決まった泡質の泡しか生成できないという課題がある。
【０００６】
本発明は、このような課題に鑑みてなされ、その目的は、用途に適した泡を便鉢部に供給できる水洗式便器を提供することにある。
【課題を解決するための手段】
【０００７】
上記課題を解決するために、本発明のある態様の水洗式便器は、便鉢部と、便鉢部に向かって泡を導くための泡経路と、泡経路に設けられた、泡を発生させるための泡発生装置と、を備える。泡発生装置は、第１の泡質の泡を発生する第１の動作モードと、第１の泡質とは異なる第２の泡質の泡を発生する第２の動作モードとを有する。
【０００８】
この態様によると、異なる２種類の泡質の泡を泡発生装置で生成できるため、用途に適した泡を便鉢部に供給できる。
【発明の効果】
【０００９】
本発明によれば、用途に適した泡を便鉢部に供給できる水洗式便器を提供できる。
【図面の簡単な説明】
【００１０】
【図１】本発明の実施形態に係る水洗式便器の前方斜視図である。
【図２】本発明の実施形態に係る水洗式便器の後端内部の拡大斜視図である。
【図３】本発明の実施形態に係る水洗式便器の構成図である。
【図４】吐水管の外観斜視図である。
【図５】本発明の実施形態に係る泡発生装置の構成を説明するための図である。
【図６】本発明の実施形態に係る水洗式便器で使用されるリモコンを示す図である。
【図７】図７（ａ）〜（ｃ）は、第１および第２の動作モードのときの泡バルブおよび洗剤ポンプの制御方法を説明するための図である。
【図８】図８（ａ）〜（ｄ）は、第１および第２の動作モードのときの泡バルブおよび洗剤ポンプの別の制御方法を説明するための図である。
【発明を実施するための形態】
【００１１】
以下、図面を参照して本発明の実施形態に係る水洗式便器について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１２】
図１は、水洗式便器１００の前方斜視図である。図１に示す水洗式便器１００は、洗浄水タンクと洗浄水ポンプを内蔵する。洗浄水ポンプは、洗浄水タンクが貯蔵する洗浄水を第１吐水口１０２および第２吐水口１０４から便鉢部１０６に吐出する。第２吐水口１０４から吐出された洗浄水は、便鉢部１０６の内壁面に形成される導水棚１０８（レール）の上を流れ、第１吐水口１０２から吐出された洗浄水と合流し、便鉢部１０６の内部を旋回し、落水する。なお、水洗式便器１００の後端部には、局部洗浄機能や温風機能等を提供する機能部（図示せず）が搭載されてもよい。
【００１３】
図２は、水洗式便器１００の後端内部の拡大斜視図である。図３は、水洗式便器１００の構成図である。図４は、吐水管の外観斜視図である。
【００１４】
図２および図３に示すように、水洗式便器１００はバルブユニット１１３を備える。バルブユニット１１３は、上水道に接続された給水管１５２（図３参照）に接続される。バルブユニット１１３は、洗浄水バルブ１１５および泡バルブ１１７を備える（バルブユニット１１３については後述する）。洗浄水バルブが開状態にされると、洗浄水が補給管１１２（図２参照）を経由して受水部１１４に入る（経路Ｃ１）。受水部１１４の洗浄水は、そのまま下方にある洗浄水タンク１１６に流れ込み、洗浄水タンク１１６に貯水される（経路Ｃ２）。
【００１５】
ユーザが、洗浄スイッチ（図示せず）を操作すると、水洗式便器１００の下部にある洗浄水ポンプ１５６（図３参照）が稼働し、洗浄水タンク１１６の洗浄水は吐水管１１８に送られる（経路Ｃ３）。吐水管１１８は、主管１２４から第１吐水管１２０と第２吐水管１２２の２つの管に分岐する。主管１２４から第１吐水管１２０に流れた洗浄水は、第１洗浄水導水路１０５を経由して第１吐水口１０２から吐出される（経路Ｃ３−１）。一方、主管１２４から第２吐水管１２２に流れた洗浄水は、第２洗浄水導水路１０７を経由して第２吐水口１０４から吐出される（経路Ｃ３−２）。洗浄水バルブ１１５、受水部１１４、洗浄水タンク１１６および洗浄水ポンプ１５６は、便鉢部１０６に洗浄水を供給する洗浄水供給機構を構成している。
【００１６】
受水部１１４は洗浄水タンク１１６だけでなく、図示しないオーバーフロー経路に連通するオーバーフロー管１３２（図４参照）とも連通する。受水部１１４の洗浄水は洗浄水タンク１１６に供給されるが、バルブユニット１１３の故障等により洗浄水タンク１１６の貯水量が多くなりすぎると受水部１１４から洗浄水があふれてしまう。そこで、受水部１１４は余剰の洗浄水をオーバーフロー管１３２に流すことで、水あふれ（オーバーフロー）を防いでいる。オーバーフロー管１３２は排出口１３４から余剰水を排出するが、本実施形態における排出口１３４は第２吐水管１２２に連結されている（図４参照）。このため、受水部１１４の余剰水は、第２洗浄水導水路１０７および第２吐水口１０４を経て便鉢部１０６内に排出される。
【００１７】
上述した経路Ｃ１，Ｃ２，Ｃ３，Ｃ３−１およびＣ３−２は、便鉢部１０６に向かって洗浄水を導くための洗浄水導水路を構成している。すなわち、第１吐水口１０２または第２吐水口１０４まで（便鉢部１０６の前まで）が洗浄水導水路である。本実施形態に係る水洗式便器１００には、この洗浄水導水路とは別に、便鉢部１０６に向かって泡を導くための泡経路（経路Ｃ４）が設けられている。この泡経路には、泡を発生させるための泡発生装置５０が設けられている。以下、この泡発生装置５０について詳細に説明する。
【００１８】
図５は、本発明の実施形態に係る泡発生装置５０の構成を説明するための図である。図５に示すように、泡発生装置５０は、エゼクタ５２と、泡バルブ１１７（図２参照）と、制御部６０と、給水管５１と、洗剤タンク５３と、洗剤ポンプ５４と、第１ホース５６ａと、第２ホース５６ｂとを備える。
【００１９】
エゼクタ５２は、内部に流路５２ｈを有する管状体である。エゼクタ５２の流路５２ｈは、その中間部分の流路径が上流側および下流側の流路径よりも絞られている。流路径が絞られた部分を「小径部５２ａ」と呼び、小径部５２ａより上流側を「上流部５２ｂ」と呼び、エゼクタ５２より下流側を「下流部５２ｃ」と呼ぶ。
【００２０】
エゼクタ５２の上流部５２ｂの上流側には、流路内に水を供給するための給水部５２ｇが設けられており、該給水部５２ｇには給水管５１が接続されている。給水管５１は泡バルブ１１７に接続されている。泡バルブ１１７および給水管５１は、エゼクタ５２の流路５２ｈに水（以下、適宜「泡発生用水」と呼ぶ）を供給する給水装置を構成する。制御部６０の指示により泡バルブが開状態になると、給水管５１、給水部５２ｇを介して流路５２ｈ内に泡発生用水が流れ込む。
【００２１】
エゼクタ５２の上流部５２ｂの上面には、空気をエゼクタ５２内に導入するための空気供給部５２ｄが設けられており、該空気供給部５２ｄには空気供給管５５が接続されている。
【００２２】
エゼクタ５２の小径部５２ａの下面には、洗剤をエゼクタ５２内に導入するための洗剤供給部５２ｅが設けられている。洗剤供給部５２ｅは、その周辺の流路よりも低い段差状に形成されている。洗剤供給部５２ｅの段差は、水が溜まる程度の段差に形成されている。洗剤供給部５２ｅの下方にはダックビル弁５８が配置されている。ダックビル弁５８の入口開口部分５８ａには、洗剤ポンプ５４から延びる第２ホース５６ｂが接続されている。洗剤を吐出する洗剤供給口であるダックビル弁５８の出口開口部分５８ｂは、段差形状の洗剤供給部５２ｅに底面に配置される。ダックビル弁５８は、入口開口部分５８ａから出口開口部分５８ｂ方向には流体を通すが、出口開口部分５８ｂから入口開口部分５８ａ方向には流体を通さない逆止弁である。
【００２３】
洗剤タンク５３は、洗剤を貯留する。洗剤ポンプ５４は、第１ホース５６ａを介して洗剤ポンプ５４に接続されており、第２ホース５６ｂおよびダックビル弁５８を介してエゼクタ５２の洗剤供給部５２ｅに接続されている。洗剤ポンプ５４は、制御部６０の指示により稼働する。洗剤タンク５３、洗剤ポンプ５４、第１ホース５６ａ、第２ホース５６ｂおよびダックビル弁５８は、洗剤供給部５２ｅを介して流路５２ｈに洗剤を供給する洗剤供給装置を構成する。
【００２４】
エゼクタ５２の下流部５２ｃの下流側には、エゼクタ５２内で泡発生用水、空気および洗剤が混合されて発生した泡を吐出する吐泡部５２ｆが設けられており、該吐泡部５２ｆには泡を便鉢部１０６に向かって流すための泡管５７が接続されている。
【００２５】
上記のように構成された泡発生装置５０において、ユーザがスイッチを操作すると、制御部６０は泡バルブ１１７を開状態に制御し、これにより泡発生用水が給水管５１内に供給される。この泡発生用水は、エゼクタ５２の流路５２ｈに流れ込む。また、制御部６０は、泡バルブ１１７が開状態となったのと同じタイミングで洗剤ポンプ５４を稼動させる。これにより、洗剤タンク５３に貯留された洗剤が第１ホース５６ａを通って洗剤ポンプ５４に吸い込まれ、洗剤ポンプ５４から第２ホース５６ｂに放出される。第２ホース５６ｂを通った洗剤は、ダックビル弁５８を介して洗剤供給部５２ｅに流れ込み、洗剤供給部５２ｅから流路５２ｈ内に供給される。泡発生用水がエゼクタ５２の流路５２ｈ内に流れ込むと、エゼクタ内が負圧となるエゼクタ効果が発生する。このエゼクタ効果によって空気供給部５２ｄから空気がエゼクタ４２の流路５２ｈ内に引き込まれ、流路５２ｈ内で洗浄水と空気と洗剤が混合されて泡が発生する。流路５２ｈで発生した泡は、吐泡部５２ｆから泡管５７に流れ込む。泡管５７の先端部（泡吐出口１３０）は洗浄水経路（第２吐水管１２２）に接続されており、洗浄水とともに第２吐水口１０４から吐出される（図２参照）。
【００２６】
図６は、本発明の実施形態に係る水洗式便器１００で使用されるリモコン６００を示す。図６に示すように、リモコン６００は、便座開／閉スイッチ６０１、洗浄スイッチ６０２、シャワートイレスイッチ６０３等の複数のスイッチを備えるが、ここでは泡発生装置５０に関連する手動泡スイッチ６０４および自動泡スイッチ６０５について説明する。手動泡スイッチ６０４および自動泡スイッチ６０５は、有線または無線通信手段を介して制御部６０（図５参照）に接続されている。
【００２７】
手動泡スイッチ６０４は、ユーザが便鉢部１０６内を掃除する際に用いられる。ユーザが手動泡スイッチ６０４を押すと、制御部６０は、泡バルブ１１７を開状態に制御するとともに、洗剤ポンプ５４を稼働させる。これにより、エゼクタ５２内で泡が生成され、第２吐水口１０４から便鉢部１０６内に泡が吐出される。ユーザは、便鉢部１０６内の水面上にはられた泡を利用して、便鉢部１０６内をブラシ等を用いて清掃することができる。
【００２８】
自動泡スイッチ６０５は、ユーザが立小便をする際に用いられる。自動泡スイッチ６０５がオン状態になっているとき、便座（図示せず）が上げられると、便座に設けられた開閉検知センサ（図示せず）が便座の開状態を検知し、自動的に泡が便鉢部１０６内に吐出される。すなわち、便座が上げられると便座に設けられたスイッチ（図示せず）がオンし、制御部６０により泡バルブ１１７が開状態とされ、洗剤ポンプ５４が稼働される。これにより、エゼクタ５２内で泡が生成され、第２吐水口１０４から便鉢部１０６内に泡が吐出される。便鉢部１０６内の水面上に泡がはられているため、立小便の際の液体の飛散を抑制できる。
【００２９】
リモコン６００の手動泡スイッチ６０４および自動泡スイッチ６０５並びに便座に設けられたスイッチは、第１の動作モードまたは第２の動作モードを選択するための操作部を構成している。
【００３０】
本実施形態に係る水洗式便器１００において、泡発生装置５０は、第１の泡質の泡を発生する第１の動作モードと、第１の泡質とは異なる第２の泡質の泡を発生する第２の動作モードとを有する。第１の動作モードは、便鉢部１０６内を掃除する際の動作モードであり、ユーザがリモコン６００の手動泡スイッチ６０４を押したときに起動する。第２の動作モードは、ユーザが立小便をする際の動作モードであり、リモコン６００自動泡スイッチ６０５がオン状態且つ便座が上げられたときに起動する。
【００３１】
図７（ａ）〜（ｃ）は、第１および第２の動作モードのときの泡バルブ１１７および洗剤ポンプ５４の制御方法を説明するための図である。本制御方法では、第１の動作モードの泡質（第１の泡質）と、第２の動作モードの泡質（第２の泡質）とが異なる。具体的には、第１の泡質の泡は、洗剤濃度が第２の泡質の泡よりも高い。洗剤濃度が高い第１の泡質の泡を用いることにより、便鉢部１０６内の掃除を効果的に行うことができる。一方、立小便の飛散防止にはそれほど高い洗剤濃度が必要とされないため、洗剤濃度を減らすことにより、洗剤の消費量を抑えることができる。
【００３２】
第１の動作モードでは、図７（ａ）に示すように泡バルブ１１７を制御するとともに、図７（ｂ）に示すように洗剤ポンプ５４を制御する。すなわち、泡バルブ１１７については制御開始時にオン状態（開状態）にし、所定時間Ｔ１（例えば６秒）経過したらオフ状態（閉状態）にする。一方、洗剤ポンプ５４については、制御開始時から所定時間Ｔ１までＤＵＴＹ比５０％で洗剤ポンプ５４のモータをオン／オフする。これにより、所定の第１の供給速度Ｖ１でエゼクタ５２内に洗剤が供給される。
【００３３】
第２の動作モードでは、図７（ａ）に示すように泡バルブ１１７を制御するとともに、図７（ｃ）に示すように洗剤ポンプ５４を制御する。すなわち、泡バルブ１１７については制御開始時にオン状態（開状態）にし、所定時間Ｔ１（例えば６秒）経過したらオフ状態（閉状態）にする。一方、洗剤ポンプ５４については、制御開始時から所定時間Ｔ１までＤＵＴＹ比２５％で洗剤ポンプ５４のモータをオン／オフする。これにより、第１の供給速度Ｖ１よりも遅い所定の第２の供給速度Ｖ２でエゼクタ５２内に洗剤が供給される。
【００３４】
第１の動作モードと第２の動作モードを比較すると、泡バルブ１１７をオン状態にし且つ洗剤ポンプ５４を稼働させている時間は同じであるが、洗剤の供給速度が異なる。洗剤の供給速度が速い第１の動作モードでは、洗剤の供給量が多くなるため、洗剤濃度の高い泡が生成される。一方、洗剤の供給速度が遅い第２の動作モードでは、洗剤の供給量が少なくなるため、洗剤濃度の低い泡が生成される。
【００３５】
図８（ａ）〜（ｄ）は、第１および第２の動作モードのときの泡バルブ１１７および洗剤ポンプ５４の別の制御方法を説明するための図である。本制御方法では、第１の動作モードの泡量（第１の泡量）と、第２の動作モードの泡量（第２の泡量）とが異なる。具体的には、第１の泡量は、第２の泡量よりも多い。第１の泡量を用いることにより、便鉢部１０６内の掃除を効果的に行うことができる。一方、立小便の飛散防止にはそれほど多い泡量が必要とされないため、第２の泡量を用いることにより、洗剤の消費量を抑えることができる。
【００３６】
第１の動作モードでは、図８（ａ）に示すように泡バルブ１１７を制御するとともに、図８（ｂ）に示すように洗剤ポンプ５４を制御する。すなわち、泡バルブ１１７については制御開始時にオン状態（開状態）にし、所定の第１時間Ｔ１（例えば６秒）経過したらオフ状態（閉状態）にする。これにより、所定時間Ｔ１の間、エゼクタ５２内に水が供給される。一方、洗剤ポンプ５４については、制御開始時から所定の第１時間Ｔ１までＤＵＴＹ比５０％で洗剤ポンプ５４のモータをオン／オフする。これにより、所定時間Ｔ１の間、エゼクタ５２内に洗剤が供給される。
【００３７】
第２の動作モードでは、図８（ｃ）に示すように泡バルブ１１７を制御するとともに、図８（ｄ）に示すように洗剤ポンプ５４を制御する。すなわち、泡バルブ１１７については制御開始時にオン状態（開状態）にし、第１時間Ｔ１より短い所定時間Ｔ２（例えば３秒）経過したらオフ状態（閉状態）にする。これにより、所定時間Ｔ２の間、エゼクタ５２内に水が供給される。一方、洗剤ポンプ５４については、制御開始時から所定時間Ｔ２までＤＵＴＹ比５０％で洗剤ポンプ５４のモータをオン／オフする。これにより、所定時間Ｔ２の間、エゼクタ５２内に洗剤が供給される。
【００３８】
第１の動作モードと第２の動作モードを比較すると、洗剤ポンプ５４のＤＵＴＹ比は同じであるが、水および洗剤の供給時間が異なる。水および洗剤の供給時間が長い第１の動作モードでは、生成される泡量が多くなる。一方、水および洗剤の供給時間が短い第２の動作モードでは、生成される泡量が少なくなる。
【００３９】
以上説明したように、本実施形態に係る水洗式便器１００によれば、用途（便鉢部１０６内の掃除または立小便の飛散防止）に適した泡を便鉢部１０６に供給できる。必要以上の洗剤の使用が抑制されるため、経済的である。
【００４０】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【００４１】
例えば、上述の実施形態では、洗浄水導水路とは別に泡経路を設けたが、洗浄水導水路と泡経路は同じであってもよい。すなわち、洗浄水導水路に泡発生装置が設けられてもよい。
【００４２】
以上の実施形態により具体化される発明を一般化すると、以下の技術的思想が導かれる。
【００４３】
前述の課題を解決するための手段に記載の態様において、第１の泡質は、洗剤濃度が第２の泡質よりも高くてもよい。便鉢部内を掃除する際に洗剤濃度が高い第１の泡質を用いることにより、掃除を効果的に行うことができる。一方、それほど高い洗剤濃度が必要とされない立小便の飛散防止には洗剤濃度の低い第２の泡質を用いることにより、洗剤の消費量を抑えることができる。
【００４４】
泡発生装置は、エゼクタと、エゼクタ内に水を供給する給水装置と、エゼクタ内に洗剤を供給する洗剤供給装置と、を備えてもよい。洗剤供給装置は、第１の動作モードで動作する場合、所定の第１の供給速度でエゼクタ内に洗剤を供給し、第２の動作モードで動作する場合、第１の供給速度よりも遅い所定の第２の供給速度でエゼクタ内に洗剤を供給してもよい。この場合、好適に第１の泡質の洗剤濃度を第２の泡質よりも高くできる。
【００４５】
本発明の別の態様もまた、泡発生装置である。この泡発生装置は、便鉢部と、便鉢部に向かって泡を導くための泡経路と、泡経路に設けられた、泡を発生させるための泡発生装置とを備える。泡発生装置は、第１の泡量の泡を発生する第１の動作モードと、第１の泡量とは異なる第２の泡量の泡を発生する第２の動作モードとを有する。
【００４６】
この態様によると、異なる２種類の泡量の泡を泡発生装置で生成できるため、用途に適した泡を便鉢部に供給できる。例えば、第１の泡量を第２の泡量よりも多くする。便鉢部内を掃除する際に第１の泡量を用いることにより、掃除を効果的に行うことができる。一方、それほど多くの泡量が必要とされない立小便の飛散防止には第２の泡量を用いることにより、洗剤の消費量を抑えることができる。
【００４７】
泡発生装置は、エゼクタと、エゼクタ内に水を供給する給水装置と、エゼクタ内に洗剤を供給する洗剤供給装置と、を備えてもよい。給水装置および洗剤供給装置は、第１の動作モードで動作する場合、所定の第１時間エゼクタ内に水および洗剤を供給し、第２の動作モードで動作する場合、第１時間よりも短い所定の第２時間エゼクタ内に水および洗剤を供給してもよい。この場合、好適に第１の泡量を第２の泡量よりも多くできる。
【００４８】
第１の動作モードまたは第２の動作モードを選択するための操作部をさらに備えてもよい。この場合、第１および第２の動作モードを用途に応じて自由に選択できる。
【符号の説明】
【００４９】
５０  泡発生装置、  ５１  給水管、  ５２  エゼクタ、  ５２ａ  小径部、  ５２ｂ  上流部、  ５２ｃ  下流部、  ５２ｄ  空気供給部、  ５２ｅ  洗剤供給部、  ５２ｆ  吐泡部、  ５２ｇ  給水部、  ５２ｈ  流路、  ５３  洗剤タンク、  ５４  洗剤ポンプ、  ５７  泡管、  ５８  ダックビル弁、  ６０  制御部、  １００  水洗式便器、  １０２  第１吐水口、  １０４  第２吐水口、  １０６  便鉢部、  １１０  取水口、  １１３  バルブユニット、  １１５  洗浄水バルブ、  １１７  泡バルブ、  １１８  吐水管、  １２０  第１吐水管、  １２２  第２吐水管、  ６００  リモコン、  ６０４  手動泡スイッチ、  ６０５  自動泡スイッチ。
【図１】
0006538490.tif 000002
【図２】
0006538490.tif 000003
【図３】
0006538490.tif 000004
【図４】
0006538490.tif 000005
【図５】
0006538490.tif 000006
【図６】
0006538490.tif 000007
【図７】
0006538490.tif 000008
【図８】
0006538490.tif 000009